(57)【要約】      （修正有）【課題】目的とする商品を検索する際に記憶、メモをすることなく、素早く検索することができるカタログ用しおりを提供する。【解決手段】カタログ本内の任意の頁に挟み込むカタログ用しおり１０で、挟み込んだ際にカタログ本の周囲から側縁部がはみ出ない大きさであって、しおりの表裏面には、カタログの５０音順インデックスの商品の見出し品目名１３とカタログ指定頁１４とが記載されている。【選択図】図１
0003181880.tif 000002
【実用新案登録請求の範囲】
【請求項１】
カタログ本内の任意の頁に挟み込む矩形状のカタログ用しおりで、挟み込んだ際にカタログ本の周囲から側縁部がはみ出ない大きさであって、
しおりの表裏面には、カタログの５０音順インデックスの商品の見出し品目名とカタログ指定頁とが記載されていることを特徴とするカタログ用しおり。
【請求項２】
カタログ本内の任意の頁に挟み込む矩形状のカタログ用しおりで、挟み込んだ際にカタログ本の周囲から側縁部がはみ出ない大きさであって、
しおりの表裏面には、カタログの５０音順インデックスの商品の見出し品目名とカタログ指定頁とが記載されており、
しおりの直交する２辺に長さの目盛りが記載されていることを特徴とするカタログ用しおり。
【請求項３】
カタログ本内の任意の頁に挟み込む矩形状のカタログ用しおりで、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されていることを特徴とするカタログ用しおり。
【請求項４】
カタログ本内の任意の頁に挟み込む矩形状のカタログ用しおりで、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載されていることを特徴とするカタログ用しおり。
【請求項５】
カタログ本内の任意の頁に挟み込む矩形状のカタログ用しおりで、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載され、
しおりの表裏面を連通する連通孔に拡大鏡が装着されていることを特徴とするカタログ用しおり。
【考案の詳細な説明】
【技術分野】
【０００１】
本考案は、例えば内装施工用の工具等が掲載されたカタログに添付される下敷きとしても用いることのできるしおりに関するものである。
【背景技術】
【０００２】
商品カタログは、商品の内容等により分類され、同じ内容の大分類更にはその下位の小分類等にまとめられ、これらの分類に沿って商品説明の頁が掲載されている。商品の検索には、商品の内容に対するカタログの分類を把握して該当する分類項目を検索するか、商品名を５０音順インデックスで検索するか、商品番号一覧で検索するかなどしかなかった。
【０００３】
一方、本出願人は、予め定められた工程からなる作業で用いる商品と、予め定められた工程からなる別の１つ以上の作業で用いる商品を多数掲載するカタログ本において、目的の商品を判り易く、素早く検索することのできるインデックス機能を有するカタログを提案している（特許文献１参照）。具体的には、作業毎に用いる商品中で代表される商品及び／又は各作業工程を重複無く順番に並べたナビゲーションインデックスを備えたものである。
【０００４】
尚、しおりに付加価値として物差しやルーペ用のレンズを備えたものも提案されている（例えば、特許文献２参照）。
【先行技術文献】
【特許文献】
【０００５】
【特許文献１】特開２００１−０２２２７６号公報
【特許文献２】特開２００６−２１８８３７号公報
【考案の概要】
【考案が解決しようとする課題】
【０００６】
特許文献１のような建築施工に関する商品を紹介するカタログ等のように、予め定められた工程からなる作業で用いる商品を多数掲載するカタログにおいては、所望の工程で用いる商品を素早く検索することが可能となる反面、検索の目的とする商品がどのような工程で作業されるかの見当を付けなければならず、その場合には商品名を５０音順インデックス等で検索していた。
【０００７】
この場合には、カタログ本の前方又は後方の頁に５０音順インデックスがあり、該当する頁で目的とする商品名が示すページ数を記憶、メモをした後にカタログ本の頁をめくる行為をしていた。
【０００８】
本考案は、目的とする商品を検索する際に記憶、メモをすることなく、素早く検索することができるカタログ用しおりを得ることを目的とする。
【課題を解決するための手段】
【０００９】
請求項１に記載された考案に係るカタログ用しおりは、カタログ本内の任意の頁に挟み込むカタログ用しおりで、挟み込んだ際にカタログ本の周囲から側縁部がはみ出ない大きさであって、
しおりの表裏面には、カタログの５０音順インデックスの商品の見出し品目名とカタログ指定頁とが記載されていることを特徴とするものである。
【００１０】
請求項２に記載された考案に係るカタログ用しおりは、カタログ本内の任意の頁に挟み込む矩形状のカタログ用しおりで、挟み込んだ際にカタログ本の周囲から側縁部がはみ出ない大きさであって、
しおりの表裏面には、カタログの５０音順インデックスの商品の見出し品目名とカタログ指定頁とが記載されており、
しおりの直交する２辺に長さの目盛りが記載されていることを特徴とするものである。
【００１１】
請求項３に記載された考案に係るカタログ用しおりは、カタログ本内の任意の頁に挟み込む矩形状のカタログ用しおりで、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されていることを特徴とするものである。
【００１２】
請求項４に記載された考案に係るカタログ用しおりは、カタログ本内の任意の頁に挟み込む矩形状のカタログ用しおりで、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載されていることを特徴とするものである。
【００１３】
請求項５に記載された考案に係るカタログ用しおりは、カタログ本内の任意の頁に挟み込む矩形状のカタログ用しおりで、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載され、
しおりの表裏面を連通する連通孔に拡大鏡が装着されていることを特徴とするものである。
【考案の効果】
【００１４】
本考案は、目的とする商品を検索する際に記憶、メモをすることなく、照らし合わせながら検索できるため、素早く検索することができるカタログ用しおりを得ることができるという効果がある。
【図面の簡単な説明】
【００１５】
【図１】本発明のカタログ用しおりの一実施例の表面側の説明図である。
【図２】図１のカタログ用しおりの裏面側の説明図である。
【図３】図１のしおりが挟み込まれるカタログ本のインデックス機能を有する頁の説明図である。
【図４】図３のカタログ本の５０音順インデックスの一頁を示す説明図である。
【図５】図４の小口部分を示す説明図である。
【考案を実施するための形態】
【００１６】
本考案においては、カタログ本内の任意の頁に挟み込むカタログ用しおりで、挟み込んだ際にカタログ本の周囲から側縁部がはみ出ない大きさであって、しおりの表裏面には、カタログの５０音順インデックスの商品の見出し品目名とカタログ指定頁とが記載されているものであるため、検索の目的とする商品を検索する際に記憶、メモをすることなく、商品が該当する大きな分類項目としての商品の見出し品目名をしおりで照らし合わせながら検索できるため、素早く検索することができるカタログ用しおりを得ることができる。
【００１７】
本考案のしおりのサイズは、カタログの大きさに対して一回り小さくしてカタログの外周からはみ出さない大きさとすることにより、広い印刷面が確保されると共にカタログ自体にメモ書きする際に下敷きとしての機能も備える。しおりの材質としては表裏面に印刷されるものであれば良く、例えば、厚紙や、厚紙の両面にＰＰ等で樹脂コートして強度を持たせたものが好ましい。
【００１８】
本考案のしおりには、好ましくはしおりの直交する２辺に長さの目盛りが記載されている。これにより、しおりを水平面に対して数行及び数列に並べる操作を行ったり、垂直面に対して数行及び数段並べる操作を行うことにより、作業者に該当する大きさを実感させることができる。
【００１９】
即ち、例えばカタログ内で該当する商品の大きさが縦３０ｃｍ×横４０ｃｍ×高さ５０ｃｍであると表示された場合に、例えばしおりの直交する２辺に１７ｃｍ×２６ｃｍの目盛りが記載してあったならば、水平面に沿ってしおりの１７ｃｍの辺を縦に２倍弱に並べることを想定し、しおりの２６ｃｍの辺を横に１．５倍弱に並べることを想定することにより、該当する商品の平面状の大きさが実感できる。また垂直面に沿ってしおりの１７ｃｍの辺を２倍強に並べ、これに直交する高さ方向に２６ｃｍの辺を２倍弱に並べることを想定することにより、正面状の大きさが実感できる。
【００２０】
本考案のしおりは、好ましくは、内装施工用機器・工具・副資材の総合カタログとして、１つの予め定められた工程からなる作業で用いる商品と、予め定められた工程からなる別の１つ以上の作業で用いる商品とを多数掲載するカタログ本内の任意の頁に挟み込むものであるため、目的の商品を判り易く、素早く検索することのできるカタログ本であっても、商品が該当する大きな分類項目としての商品の見出し品目名によって素早く検索することができる。
【００２１】
本考案のしおりは、しおりの表裏面を連通する連通孔に拡大鏡が装着されても良い。例えば、フレネンレンズや光の回折を利用した薄型レンズを連通孔に装着させて、フラット形状とすることができ、下敷きとして利用した際にも何ら支障がない。
【実施例】
【００２２】
図１は本発明のカタログ用しおりの一実施例の表面側の説明図である。図２は図１の裏面側の説明図である。図３は図１のしおりが挟み込まれるカタログ本のインデックス機能を有する頁の説明図である。図４は図３のカタログ本の５０音順インデックスの一頁を示す説明図である。図５は図４の小口部分を示す説明図である。
【００２３】
図１及び図２に示す通り、本実施例のカタログ用しおり１０は、挟み込んだ際にカタログ本の周囲から側縁部がはみ出ない大きさである。しおり１０が挟み込まれる本実施例のカタログ本は、Ａ４版の大きさであるため、長辺が２９ｃｍ程度、短辺が２０ｃｍ程度の大きさである。
【００２４】
しおり１０の表面１１及び裏面１２には、各々カタログ本に掲載されている大きな分類項目としての商品の見出し品目名１３とカタログ指定頁１４とが５０音順に記載されている。しおり１０の長辺及び短辺の直交する２辺には、長さの目盛り１５が各々記載されている。また、しおり１０の角部には、表裏面を透過する回折格子によるフラットな拡大鏡領域１６が形成されている。
【００２５】
本考案における商品の見出し品目名１３としては、商品名ではなく商品の見出し品目名を指す。例えば、後述する５０音順インデックスにも記載されているが、「足場台ＤＲＳ、足場台ＤＷＤ、足場台ＤＷＶ、足場台ＤＷＶ−Ｓ、足場台ＤＷＶ−ＳＸ、足場台ＤＷＸ、足場台ＶＳＲ」の各々は商品名であるが、これらを総括する見出し品目名としては「足場板」である。この商品の見出し品目名のみを掲載することにより、１１頁にも亘って掲載される５０音順インデックスもしおり１０の表裏面に掲載することができる。
【００２６】
しおり１０は、大きな分類項目としての商品の見出し品目名１３とカタログ指定頁１４と長さの目盛り１５が印刷され、拡大鏡領域１６に回折格子型レンズを装着させて、厚紙の両面に透明なＰＰ樹脂コートしたものである。
【００２７】
しおり１０はカタログ本から取り出せるため、検索の目的とする商品を検索する際に記憶、メモをすることなく、商品が該当する見出し品目名１３をしおりで照らし合わせながら検索できるため、素早く検索することができるカタログ用しおりを得ることができる。
【００２８】
また、しおり１０の直交する２辺に長さの目盛り１５により、しおり１０を水平面に対して数行及び数列に並べることを想定する操作を行ったり、垂直面に対して数行及び数段並べることを想定する操作を行うことにより、作業者に該当する大きさを実感させることができる。
【００２９】
本しおり１０が装着されるカタログ本は、本出願人が発行する内装施工用機器・工具・副資材の総合カタログである。このカタログ２０は、図３に示す通り、図の左側端部が綴じられている。このカタログ２０の前方の頁のインデックス機能を有する頁２１には、右上部の側端部に本カタログ２０で採用した索引及びこれを指定する頁を示した索引表示領域２２が記載されている。具体的には、「５０音順（インデックス）」と「商品番号別一覧」とが記載されている。
【００３０】
この索引表示領域２２の下方の側縁部には、ナビゲーションインデックス２４が記載されている。このナビゲーションインデックス２４は各作業に用いる商品中で代表される商品及び／又は各作業工程の見出し名を重複無く順番に並べたものである。
【００３１】
具体的には、上から順に「糊付機」「足場」「運搬」「収納」「保護」「電源」「照明」「熱源」「剥離」「養生」「計測」「穴あけ」「金具固定」「撹拌」「シーラー処理」「パテ処理」「研磨・切削」「糊付け」「貼付け」「切断」「溶接」「清掃」「グリッパー工法」「汎用品」「パーツリスト」の欄が記載されている。これらの欄が隣接する欄と混同しないように色分けして記載されている。
【００３２】
このナビゲーションインデックス２４は、例えば、「糊付機」の該当頁には糊付機及び糊付機に関連する商品が掲載され、「足場」の該当頁には作業台、足場台、脚立等の足場に関連する商品が掲載され、「運搬」の該当頁には台車等の運搬に関連する商品が掲載され、「収納」の該当頁には腰袋、ドライバーケース、バッグ等の収納に関連する商品が掲載される。
【００３３】
同様に、「保護」の該当頁にはヘルメット、ヘルメット注文書、防塵メガネ・マスク等の保護に関連する商品が掲載され、「電源」の該当頁には延長コードリール、発電機等の電源に関連する商品が掲載され、「照明」の該当頁にはクリップライト、ライトスタンド等の照明に関連する商品が掲載され、「熱源」の該当頁にはヒーター、ホットガン、バーナー等の熱源に関連する商品が掲載される。
【００３４】
また、「剥離」の該当頁にはスクレイパー等の剥離に関連する商品が掲載され、「養生」の該当頁には養生シート、養生材等の養生に関連する商品が掲載され、「計測」の該当頁にはメジャー、レーザー距離計、墨つぼ等の計測に関連する商品が掲載され、「穴あけ」の該当頁にはドリル、錐等の穴あけに関連する商品が掲載され、「金具固定」の該当頁にはインパクトドライバ、ドライバ、石膏ボード用アンカー等の金具固定に関連する商品が掲載される。
【００３５】
更に、「撹拌」の該当頁にはパテ攪拌機、撹拌羽根、電動ドリル、桶、撹拌ヘラ等の撹拌に関連する商品が掲載され、「シーラー処理」の該当頁にはスポンジローラ、刷毛等のシーラー処理に関連する商品が掲載され、「パテ処理」の該当頁にはパテベラ、パテ盆、コーナーテープ等のパテ処理に関連する商品が掲載され、「研磨・切削」の該当頁にはサンダー、サンドペーパ、砥石、カンナ、のみ等の研磨・切削に関連する商品が掲載される。
【００３６】
また、「糊付け」の該当頁にはクロスカットテープ、壁紙養生袋、刷毛、ヘラ、コーキング等の糊付けに関連する商品が掲載され、「貼付け」の該当頁には撫でブラシ、ジョイントローラ、両面テープ等の貼付けに関連する商品が掲載され、「切断」の該当頁には各種カッター、地ベラ、定規、ハサミ、ニッパー、のこ、電動のこ等の切断に関連する商品が掲載され、「溶接」の該当頁には各種溶接機、やすり等の溶接に関連する商品が掲載される。
【００３７】
更に、「清掃」の該当頁には集塵機、高圧洗浄機、ポリッシャー、ワックス剤等の清掃に関連する商品が掲載され、「グリッパー工法」の該当頁にはニーキッカー、カーペット用ハサミ、グルーガン等のグリッパー工法に関連する商品が掲載され、「汎用品」の該当頁には各種粘着テープ、荷造りテープ等の汎用品に関連する商品が掲載され、「パーツリスト」の該当頁には糊付機のパーツリストが掲載されている。
【００３８】
図４は本カタログ２０に掲載された５０音順インデックスの一頁を示す説明図である。頁の見開きの端縁部の上部には、図３の索引表示領域２２と同位置に対応する索引表示領域２２が記載されている。具体的には、「５０音順（インデックス）」「商品番号別一覧」とが記載されている。また、その下方の側縁部には、ナビゲーション本カタログ２０の頁の表示と、５０音順インデックスの該当項目を示す項目インデックス２３が記載されている。
【００３９】
この５０音順の項目インデックス２３は、「数字」「アルファベット」「あ行」〜「わ行」までのインデックス見出しを表示し、掲載された頁の該当するインデックス見出しを、他のインデックス見出しと相違して表示させたものである。また、この見出しの上に該当するカタログ指定頁を表示し、速やかな検索が行えるようにしている。
【００４０】
頁は３列に仕切られ、「数字順」、「アルファベット順」及び、「５０音順」に掲載個別商品名４３又は大きな項目としての見出し品目名４４と、各々に該当する商品説明が掲載されるカタログ指定頁４５が表示されている。これにより、指示されている商品の作業が速やかに理解できる。
【００４１】
尚、この５０音順インデックスでは、掲載個別商品名４３又は見出し品目名４４の重複するものがあれば、各々に該当する商品説明が掲載されるカタログ指定頁が表示されている。これにより、重複している個別商品でも属する作業が速やかに理解されるため、求める商品説明の頁を容易にしかも速やかに検索することができる。
【００４２】
また、５０音順インデックスでが、掲載個別商品名４３と見出し品目名４４とを相違する色で区別して表示している。これにより、求める個別商品名又は品目名との混同を生じることが無く、求める商品説明の頁を容易にしかも速やかに検索することができる。尚、掲載商品名と見出し品目名との区別は、色分けの他にも、フォントの相違、アンダーライン等の飾り文字の相違等で行うことができる。
【００４３】
以上のような構成のカタログ２０の小口部分５１を図５に示した。図に示す通り、上部の帯は、図３及び図４で示した索引表示領域２２及びナビゲーションインデックス２４である。また、カタログ２０の任意の頁に本しおり１０を挟み込んでいる。
【符号の説明】
【００４４】
１０…カタログ用しおり、
１１…カタログ用しおり表面、
１２…カタログ用しおり裏面、
１３…商品の見出し品目名、
１４…カタログ指定頁、
１５…長さ目盛り、
１６…拡大鏡領域、
２０…カタログ（カタログ本）、
２１…インデックス機能を有する頁、
２２…索引表示領域、
２３…項目インデックス、
２４…ナビゲーションインデックス、
４３…掲載個別商品名、
４４…見出し品目名、
４５…カタログ指定頁、
５１…小口部分、
【図１】
0003181880.tif 000003
【図２】
0003181880.tif 000004
【図３】
0003181880.tif 000005
【図４】
0003181880.tif 000006
【図５】
0003181880.tif 000007
【手続補正書】
【提出日】平成24年12月27日(2012.12.27)
【手続補正１】
【補正対象書類名】実用新案登録請求の範囲
【補正対象項目名】全文
【補正方法】変更
【補正の内容】
【実用新案登録請求の範囲】
【請求項１】
カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
しおりの表裏面には、カタログの５０音順インデックスの商品の見出し品目名とカタログ指定頁とが記載されていることを特徴とするカタログセット。
【請求項２】
カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
しおりの表裏面には、カタログの５０音順インデックスの商品の見出し品目名とカタログ指定頁とが記載されており、
しおりの直交する２辺に長さの目盛りが記載されていることを特徴とするカタログセット。
【請求項３】
カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されていることを特徴とするカタログセット。
【請求項４】
カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載されていることを特徴とするカタログセット。
【請求項５】
カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載され、
しおりの表裏面を連通する連通孔に拡大鏡が装着されていることを特徴とするカタログセット。
【手続補正３】
【補正対象書類名】明細書
【補正対象項目名】０００１
【補正方法】変更
【補正の内容】
【０００１】
本考案は、例えば内装施工用の工具等が掲載されたカタログと、これに添付される下敷きとしても用いることのできるしおりとからなるカタログセットに関するものである。
【手続補正４】
【補正対象書類名】明細書
【補正対象項目名】０００８
【補正方法】変更
【補正の内容】
【０００８】
本考案は、目的とする商品を検索する際に記憶、メモをすることなく、素早く検索することができるカタログ用しおりを備えたカタログセットを得ることを目的とする。
【手続補正５】
【補正対象書類名】明細書
【補正対象項目名】０００９
【補正方法】変更
【補正の内容】
【０００９】
請求項１に記載された考案に係るカタログセットは、カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
しおりの表裏面には、カタログの５０音順インデックスの商品の見出し品目名とカタログ指定頁とが記載されていることを特徴とするものである。
【手続補正６】
【補正対象書類名】明細書
【補正対象項目名】００１０
【補正方法】変更
【補正の内容】
【００１０】
請求項２に記載された考案に係るカタログセットは、カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
しおりの表裏面には、カタログの５０音順インデックスの商品の見出し品目名とカタログ指定頁とが記載されており、
しおりの直交する２辺に長さの目盛りが記載されていることを特徴とするものである。
【手続補正７】
【補正対象書類名】明細書
【補正対象項目名】００１１
【補正方法】変更
【補正の内容】
【００１１】
請求項３に記載された考案に係るカタログセットは、カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されていることを特徴とするものである。
【手続補正８】
【補正対象書類名】明細書
【補正対象項目名】００１２
【補正方法】変更
【補正の内容】
【００１２】
請求項４に記載された考案に係るカタログセットは、カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載されていることを特徴とするものである。
【手続補正９】
【補正対象書類名】明細書
【補正対象項目名】００１３
【補正方法】変更
【補正の内容】
【００１３】
請求項５に記載された考案に係るカタログセットは、カタログ本と、カタログ用しおりとからなるカタログセットであって、
カタログ用しおりが、カタログ本内の任意の頁に挟み込む矩形状で、挟み込んだ際にカタログ本の周囲から側縁部がはみ出ない大きさであって、
前記カタログ本が、内装施工用機器・工具・副資材の総合カタログとして、１つの予め定められた工程からなる作業で用いる商品と、予め定められた工程からなる別の１つ以上の作業で用いる商品とを多数掲載するものであり、
しおりの表裏面には、カタログの５０音順インデックスの商品の見出し品目名とカタログ指定頁とが記載されており、
しおりの直交する２辺に長さの目盛りが記載され、
しおりの表裏面を連通する連通孔に拡大鏡が装着されていることを特徴とするものである。
【手続補正１０】
【補正対象書類名】明細書
【補正対象項目名】００１４
【補正方法】変更
【補正の内容】
【００１４】
本考案は、目的とする商品を検索する際に記憶、メモをすることなく、照らし合わせながら検索できるため、素早く検索することができるカタログ用しおりを備えたカタログセットを得ることができるという効果がある。
【手続補正１１】
【補正対象書類名】明細書
【補正対象項目名】００１５
【補正方法】変更
【補正の内容】
【００１５】
【図１】本考案のカタログ用しおりの一実施例の表面側の説明図である。
【図２】図１のカタログ用しおりの裏面側の説明図である。
【図３】図１のしおりが挟み込まれるカタログ本のインデックス機能を有する頁の説明図である。
【図４】図３のカタログ本の５０音順インデックスの一頁を示す説明図である。
【図５】図４の小口部分を示す説明図である。
【手続補正１２】
【補正対象書類名】明細書
【補正対象項目名】００１６
【補正方法】変更
【補正の内容】
【００１６】
本考案においては、カタログ本と、カタログ用しおりとからなるカタログセットであって、カタログ用しおりが、カタログ本内の任意の頁に挟み込む矩形状で、挟み込んだ際にカタログ本の周囲から側縁部がはみ出ない大きさであって、しおりの表裏面には、カタログの５０音順インデックスの商品の見出し品目名とカタログ指定頁とが記載されているものであるため、検索の目的とする商品を検索する際に記憶、メモをすることなく、商品が該当する大きな分類項目としての商品の見出し品目名をしおりで照らし合わせながら検索できるため、素早く検索することができるカタログセットを得ることができる。
【手続補正１３】
【補正対象書類名】明細書
【補正対象項目名】００２２
【補正方法】変更
【補正の内容】
【００２２】
図１は本考案のカタログ用しおりの一実施例の表面側の説明図である。図２は図１の裏面側の説明図である。図３は図１のしおりが挟み込まれるカタログ本のインデックス機能を有する頁の説明図である。図４は図３のカタログ本の５０音順インデックスの一頁を示す説明図である。図５は図４の小口部分を示す説明図である。